(57)【要約】      （修正有）【課題】折り畳み可能であり、トップシートの高さおよび傾きが調節可能なラックトローリーを提供する。【解決手段】ラックトローリーは、ベースシート１０と、トップシート２０と、スタンド３０と、支持ロッド４０とを有する。ベースシート１０は、ベースシート１０の平面方向に沿って延びる第１方向Ｘに沿って間隔をあけて配置された複数組の係止溝１１１を有する。スタンド３０は、ベースシート１０およびトップシート２０に接続され、互いに枢動可能に接続された第１フレーム３１および第２フレーム３３を有する。第１フレーム３１の端部は、ベースシート１０の第１端部に枢動可能に接続され、第２フレーム３３の端部は、係止溝１１１の組に選択的に係合される。トップシート１０の端部は、スタンド３０の上部に枢動可能に接続されている。支持ロッド４０の一方の端部はトップシート２０に枢動可能に接続され、支持ロッド４０の他方の端部はスタンド３０に着脱可能に接続される。【選択図】図２
0003221205.tif 000002
【実用新案登録請求の範囲】
【請求項１】
上部と、底部と、第１方向と、前記第１方向に対して垂直の第２方向と、前記第１方向において互いに対向する第１端部および第２端部と、を有するベースシートと、
前記ベースシートの上部に前記第２端部近くで取り付けられ、前記ベースシートの上部に形成されるとともに前記第１方向に沿って間隔をあけて配置された複数組の係止溝を有する係止部と、
前記ベースシートの底部に間隔をあけて取り付けられた複数の車輪と、
前記ベースシートの上に配置され、底部および２つの端部を有するトップシートと、
前記ベースシートおよび前記トップシートに接続されるスタンドであって、２つの端部および中央部を有し、一方の前記端部が前記ベースシートの前記第１端部に枢動可能に接続された第１フレームと、２つの端部および中央部を有し、前記中央部が前記第１フレームの前記中央部に枢動可能に接続されており、一方の前記端部が前記ベースシートの前記係止溝の組の１つに選択的に係合する第２フレームとを有し、前記トップシートの一方の端部が前記スタンドの上部に枢動可能に接続される、スタンドと、
２つの端部を有し、一方の前記端部が前記トップシートの前記底部に枢動可能に接続され、他方の前記端部が、前記スタンドに着脱可能に接続される接続部材を有する支持ロッドと、
を備える調節可能なラックトローリー。
【請求項２】
前記トップシートが、前記ベースシートの前記第１端部近くで、前記スタンドの前記第２フレームの一方の前記端部に枢動可能に接続されている、請求項１に記載の調節可能なラックトローリー。
【請求項３】
前記トップシートが、前記スタンドの上部に枢動可能に接続された前記トップシートの端部に枢動可能に接続されたガードフレームを有する、請求項１に記載の調節可能なラックトローリー。
【考案の詳細な説明】
【技術分野】
【０００１】
本考案は、ラックトローリーに関し、より詳細には、折り畳み可能であり、トップシートの高さおよび傾きが調節可能なラックトローリーに関する。
【背景技術】
【０００２】
果物や野菜は通常、顧客が簡単に選択して購入できるようにラックに陳列される。野菜および果物を陳列するための従来のラックは、２つの種類を含むことができる。１つは高さ調節ラックであり、ラックの陳列フレームの傾きは固定されている。もう１つは角度調節ラックであり、ラックの陳列フレームの高さは固定されている。
【０００３】
通常、陳列フレームの高さと傾きの両方を調節可能な従来型のラックは、巨大なサイズを有し、移動および保管が困難である。
【０００４】
この欠点を克服するために、本考案は、上述の問題を軽減または回避するための調節可能なラックトローリーを提供する。
【考案の概要】
【考案が解決しようとする課題】
【０００５】
本考案の主な目的は、折り畳み可能であり、トップシートの高さおよび傾きを調節できる調節可能なラックトローリーを提供することである。
【課題を解決するための手段】
【０００６】
本考案による調節可能なラックトローリーは、ベースシートと、トップシートと、スタンドと、支持ロッドとを有する。ベースシートは、第１方向と、第１方向に垂直な第２方向と、互いに対向するとともに第１方向に画定された第１端部および第２端部と、係止部と、複数の車輪とを有する。係止部は、ベースシートの上で、第２端部に近い位置に取り付けられ、ベースシートの上部に形成され、第１方向に沿って間隔をあけて配置された複数組の係止溝を有する。車輪は、ベースシートの底面に間隔をあけて取り付けられている。
【０００７】
トップシートはベースシートの上に配置される。スタンドはベースシートおよびトップシートに接続され、第１フレームおよび第２フレームを有する。フレームと第２フレームは、第１フレームと第２フレームとの中間で互いに枢動可能に接続されている。第１フレームの端部は、ベースシートの第１端部に枢動可能に接続されている。第２フレームの端部は、係止溝の組の１つと選択的に係合する。トップシートの端部は、スタンドの上部に枢動可能に接続されている。支持ロッドは２つの端部を有し、支持ロッドの一方の端部はトップシートの底部に枢動可能に接続され、支持ロッドの他方の端部はスタンドに着脱可能に接続された接続部材を有する。
【０００８】
本考案の他の目的、長所および新規の特徴は、添付の図面と併せて以下の詳細な説明からより明らかになる。
【図面の簡単な説明】
【０００９】
【図１】第１接続位置にある調節可能なラックトローリーを示す、本考案による調節可能なラックトローリーの第１実施形態の斜視図である。
【図１Ａ】図１の調節可能なラックトローリーの拡大斜視図である。
【図２】図１の調節可能なラックトローリーの別の斜視図であり、第１接続位置にある調節可能なラックトローリーを示している。
【図３】図１の調節可能なラックトローリーの側面図であり、第１接続位置にある調節可能なラックトローリーを示している。
【図４】図１の調節可能なラックトローリーの斜視図であり、折り畳まれた状態の調節可能なラックトローリーを示す。
【図５】図４の調節可能なラックトローリーの別の斜視図であり、折り畳まれた状態の調節可能なラックトローリーを示す。
【図５Ａ】図５の調節可能なラックトローリーの拡大斜視図である。
【図５Ｂ】図５の調節可能なラックトローリーの別の拡大斜視図である。
【図６】図５の調節可能なラックトローリーの側面図であり、折り畳まれた状態の調節可能なラックトローリーを示す。
【図７】図１の調節可能なラックトローリーの側面図であり、第２接続位置にある調節可能なラックトローリーを示している。
【図８】図１の調節可能なラックトローリーの側面図であり、第３接続位置にある調節可能なラックトローリーを示している。
【図９】図１の調節可能なラックトローリーの側面図であり、第４接続位置にある調節可能なラックトローリーを示している。
【図１０】本考案による調節可能なラックトローリーの第２実施形態の側面図である。
【考案を実施するための形態】
【００１０】
図１から図３を参照すると、本考案による調節可能なラックトローリーは、ベースシート１０と、トップシート２０と、スタンド３０と、支持ロッド４０とを含む。
【００１１】
ベースシート１０は、矩形の金属フレームであり、第１方向Ｘと、第２方向Ｙと、第１端部と、第２端部と、係止部１１と、複数の車輪１３とを有する。第１方向Ｘと第２方向Ｙは、互いに垂直である。第１端部および第２端部は、第１方向Ｘの両端に画定される。係止部１１は、ベースシート１０の第２端部に近い位置でベースシート１０の上部に取り付けられており、ベースシート１０の上部に画定されるとともに第１方向Ｘに沿って間隔をあけて配置された複数組の係止溝１１１を含む。各係止溝１１１の組は、第２方向Ｙに配列された対応する２つの係止溝１１１を含む。車輪１３がベースシート１０の底面に間隔をおいて取り付けられているため、ベースシート１０は地面上を移動することができる。
【００１２】
トップシート２０は矩形の金属フレームであり、ベースシート１０の上に配置され、内部に果物や野菜が入った容器を支持するために用いられる。好ましくは、トップシート２０は、トップシート２０の端部に枢動可能に接続されたガードフレーム２１を有する。ガードフレーム２１は、ガードフレーム２１が容器の側壁を支持するためにトップシート２０から上方に延伸するガード位置へ回動されることができ、保管のためにはガードフレーム２１がトップシート２０の内側に折り畳まれる折り畳み位置に回動されることができる。
【００１３】
スタンド３０は、ベースシート１０およびトップシート２０に接続され、第１フレーム３１および第２フレーム３３を有する。第１フレーム３１および第２フレーム３３は金属フレームであり、それぞれ２つの端部と、中央部と、第２方向Ｙの両側に配置された２つの側部ロッド３１１，３３１とを有する。第１フレーム３１は、ベースシート１０の第１端部から離れた位置にある第１フレーム３１の２つの側部ロッド３１１と接続する端部ロッド３１３を有する。第２フレーム３３は、第２フレーム３３の２つの側部ロッド３３１に接続されるとともに側部ロッド３３１の両端にそれぞれ配置されている２つの端部ロッド３３３，３３５を有する。第１フレーム３１の各側部ロッド３１１は、第１フレーム３１および第２フレーム３３の中央部において、第２フレーム３３の側部ロッド３３１のそれぞれに枢動可能に接続されている。端部ロッド３１３に対向する第１フレーム３１の端部は、ベースシート１０の第１端部に枢動可能に接続されている。ベースシート１０の第２端部近くの第２フレーム３３の端部ロッド３３５は、丸いロッドであり、係止溝１１１の組の１つに選択的に係合する。ベースシート１０の第１端部近くの第２フレーム３３の端部は、トップシート２０のガードフレーム２１が位置するトップシート２０の端部に枢動可能に接続されている。好ましくは、ベースシート１０の係止部１１は、ベースシート１０の上部に取り付けられたリミットフレーム１５を有し、第２フレーム３３の端部ロッド３３５および係止溝１１１が、リミットフレーム１５の内側に配置されて、第２フレーム３３の可動範囲を限定する。
【００１４】
支持ロッド４０は２つの端部を有し、支持ロッド４０の一方の端部はトップシート２０の底部に枢動可能に接続され、支持ロッド４０の他方の端部は接続部材４１を有し、接続部材４１は、第１フレーム３１の端部ロッド３１３に着脱可能に接続される。
【００１５】
図４から図６を参照すると、本考案による調節可能なラックトローリーが折り畳まれた状態で示されている。第２フレーム３３の端部ロッド３３５は、係止溝１１１の組から取り外されている。第１フレーム３１および第２フレーム３３は、水平に折り畳まれた位置へ相対的に旋回され、ベースシート１０上に積み重ねられる。支持ロッド４０は、スタンド３０から取り外され、トップシート２０の底部に折り畳まれる。スタンド３０にトップシート２０が積み重ねられ、ガードフレーム２１が折り畳まれた位置に回動してトップシート２０内で折り畳まれる。ベースシート１０、トップシート２０、スタンド３０および支持ロッド４０の枢動可能な接続のために、調節可能なラックトローリーは、折り畳まれた状態では最小限の体積に折り畳まれることができる。好ましくは、折り畳まれた状態では連結部材５０がベースシート１０およびトップシート２０に着脱可能に接続され、トップシート２０およびスタンド３０の位置を固定する。トップシート２０の底部には締付部材４２が取り付けられており、支持ロッド４０は、スタンド３０から取り外された後に、締付部材４２によって着脱可能に締め付けられてもよい。
【００１６】
図７を参照すると、調節可能なラックトローリーが第２接続位置に示されている。第１フレーム３１および第２フレーム３３は、水平に折り畳まれた位置へ相対的に旋回され、ベースシート１０上に積み重ねられる。支持ロッド４０の接続部材４１は、第１フレーム３１の端部ロッド３１３と係合して、トップシート２０を傾斜した位置に支持する。
【００１７】
図１、３および８を参照すると、調節可能なラックトローリーの第１接続位置および第３接続位置が示されている。第２フレーム３３の端部ロッド３３５は、係止溝１１１の組の１つと係合し、第１フレーム３１と第２フレーム３３は、ベースシート１０の上部にＸ字型およびスタンド３０を形成するように相対的に旋回される。トップシート２０は、スタンド３０によって上方に移動してベースシート１０から離れる。スタンド３０に枢動可能に接続されたトップシート２０の端部とベースシート１０との間の距離は、第２フレーム３３が係合される係止溝１１１の組と、ベースシート１０の第１端部との間の距離に基づく。第２フレーム３３が係止される係止溝１１１の組とベースシート１０の第１端部との間の距離が小さくなると、スタンド３０に枢動可能に接続されたトップシート２０の端部とベースシート１０との間の距離が大きくなり、第２フレーム３３の係止溝１１１の組の１つとの係合位置を調節することにより、トップシート２０の相対的な高さを調節することができる。
【００１８】
さらに、第１フレーム３１の端部ロッド３１３とベースシート１０の第１端部との間の水平距離は、第２フレーム３３が係合される係止溝１１１の組とベースシート１０の第１端部との間の距離に基づく。支持ロッド４０の接続部材４１が、第１フレーム３１の端部ロッド３１３に接続されてトップシート２０を傾斜位置で支持するとき、第２フレーム３３が係合される係止溝１１１の組とベースシート１０の第１端部との間の距離は小さくなっており、トップシート２０と水平面との間の傾斜角度が大きくなる。
【００１９】
図９を参照すると、調節可能なラックトローリーが第４接続位置に示されている。支持ロッド４０はスタンド３０から取り外され、トップシート２０は水平位置に回動されスタンド３０上に保持される。トップシート２０とベースシート１０との間の距離は、第２フレーム３３の係止溝１１１の組の１つとの係合位置を調節することによって調節することができる。
【００２０】
図１０を参照すると、本考案による調節可能なラックトローリーの第２実施形態が示されている。第２実施形態では、支持ロッド４０Ａの長さが調節可能であり、支持ロッド４０Ａの長さを調節することにより、トップシート２０と水平面との間の傾斜角度を調節することができる。
【００２１】
別の実施形態では、スタンド３０は、第１方向Ｘに沿って間隔をあけて配置された複数の端部ロッド３１３を有することができ、支持ロッド４０は、端部ロッド３１３の１つに選択的に接続される。トップシート２０と水平面との間の傾斜角度は、支持ロッド４０と端部ロッド３１３の１つとの接続位置を調節することによって調節することができる。
【００２２】
好ましくは、係止溝１１１の各組は、単一の係止溝１１１、または第２方向Ｙに間隔をあけて配置された複数の係止溝１１１を含むことができる。
【００２３】
あるいは、ベースシート１０の第２端部近くの第１フレーム３１の端部にトップシート２０を枢動可能に接続することができ、ガードフレーム２１が、トップシート２０がスタンド３０に枢動可能に接続されているトップシート２０の端部に接続される。
【００２４】
このような構成では、本考案による調節可能なラックトローリーは、以下の長所および改良点を有する。
【００２５】
１．本考案による調節可能なラックトローリーは、第１方向Ｘに沿って間隔をあけて配列された複数組の係止溝１１１を有するため、第２フレーム３３の係止溝１１１の組の１つとの係合位置を調節することにより、トップシート２０の相対的な高さを調節でき、トップシート２０の相対的な高さを調節しながら、支持ロッド４０とスタンド３０との接続により、トップシート２０の相対的な傾斜角度を調節することができる。
【００２６】
２．調節可能なラックトローリーは、格納、移動、包装および移送が容易であり、ベースシート１０、トップシート２０、スタンド３０および支持ロッド４０の枢動接続によって、折り畳まれた状態で最小限の体積に折り畳まれることができる。
【図１】
0003221205.tif 000003
【図１Ａ】
0003221205.tif 000004
【図２】
0003221205.tif 000005
【図３】
0003221205.tif 000006
【図４】
0003221205.tif 000007
【図５】
0003221205.tif 000008
【図５Ａ】
0003221205.tif 000009
【図５Ｂ】
0003221205.tif 000010
【図６】
0003221205.tif 000011
【図７】
0003221205.tif 000012
【図８】
0003221205.tif 000013
【図９】
0003221205.tif 000014
【図１０】
0003221205.tif 000015
【手続補正書】
【提出日】平成31年3月1日(2019.3.1)
【手続補正１】
【補正対象書類名】実用新案登録請求の範囲
【補正対象項目名】全文
【補正方法】変更
【補正の内容】
【実用新案登録請求の範囲】
【請求項１】
上部と、底部と、第１方向と、第２方向と、前記第１方向において互いに対向する第１端部および第２端部と、を有するベースシートであって、前記第１方向は、前記ベースシートの平面方向に沿って延びる方向であり、前記第２方向は、前記ベースシートの平面方向に沿って延びると共に、前記第１方向に対して垂直な方向である、ベースシートと、
前記ベースシートの上部に前記第２端部近くで取り付けられ、前記ベースシートの上部に形成されるとともに前記第１方向に沿って間隔をあけて配置された複数組の係止溝を有する係止部と、
前記ベースシートの底部に間隔をあけて取り付けられた複数の車輪と、
前記ベースシートの上に配置され、底部および２つの端部を有するトップシートと、
前記ベースシートおよび前記トップシートに接続されるスタンドであって、２つの端部および中央部を有し、一方の前記端部が前記ベースシートの前記第１端部に枢動可能に接続された第１フレームと、２つの端部および中央部を有し、前記中央部が前記第１フレームの前記中央部に枢動可能に接続されており、一方の前記端部が前記ベースシートの前記係止溝の組の１つに選択的に係合する第２フレームとを有し、前記トップシートの一方の端部が前記スタンドの上部に枢動可能に接続される、スタンドと、
２つの端部を有し、一方の前記端部が前記トップシートの前記底部に枢動可能に接続され、他方の前記端部が、前記スタンドに着脱可能に接続される接続部材を有する支持ロッドと、
を備える調節可能なラックトローリー。
【請求項２】
前記トップシートが、前記ベースシートの前記第１端部近くで、前記スタンドの前記第２フレームの一方の前記端部に枢動可能に接続されている、請求項１に記載の調節可能なラックトローリー。
【請求項３】
前記トップシートが、前記スタンドの上部に枢動可能に接続された前記トップシートの端部に枢動可能に接続されたガードフレームを有する、請求項１に記載の調節可能なラックトローリー。